【事件の表示】
　特願２００４−２９２６０９「カメラ、プリンタ、プリントシステム、制御方法、記憶媒体、及びプログラム」拒絶査定不服審判事件〔平成１７年　４月２８日出願公開、特開２００５−１１５９５４〕について、次のとおり審決する。
【結　論】
　本件審判の請求は、成り立たない。
【理　由】
　
第１ 経緯
１ 手続
　本願は、平成１３年２月７日に出願した特願２００１−３１２４８号の一部を平成１６年１０月５日に新たな特許出願としたものであって、 平成１７年８月２２日付けで拒絶査定された。
　本件は、本願についてされた上記拒絶査定を不服とする平成１７年９月２９日の審判請求であり、平成１７年１０月３１日付けで手続補正書が提出された。
　
２ 査定
　原査定の理由は、概略、以下のとおりである。
　　　　　　　　　　　　　　　理　由
　本願の請求項１ないし８に係る発明は、下記刊行物１に記載された発明および周知技術に基づいて当業者が容易に発明をすることができたものであるから、特許法第２９条第２項の規定により、特許を受けることができない。
　　　　　　　　　　　　　　　　記
　刊行物１：特開平１１−８８８１５号公報
　周知例：特開平１１−８８７４２号公報
　
　
第２ 補正の却下の決定
　平成１７年１０月３１日付けの手続補正（以下「本件補正」という）について、以下のとおり決定する。
　
［結論］
　平成１７年１０月３１日付けの手続補正を却下する。
　
［理由］
１ 本件補正の内容
　本件補正は、本件補正前、平成１７年５月１６日付け手続補正書により補正された特許請求の範囲の請求項１、４、７についてする補正であって、「表示制御部／表示制御工程」が表示させる「印刷設定画面」を、「前記印刷対象の画像に対する」ものとするとともに、「表示制御部／表示制御工程」が「印刷設定画面」を、「前記印刷対象の画像とともに」表示させるとする補正を含むものである。
　
２ 本件補正の適合性
（１）補正の範囲（第１７条の２第３項）
　本件補正は、願書に最初に添付した明細書の段落【００９８】及び図１２の記載に基づくものであるから、願書に最初に添付した明細書又は図面に記載した事項の範囲内においてする補正である。
　
（２）補正の目的（第１７条の２第４項第１号〜第４号）
　新請求項１、４、７は、旧請求項１、４、７の「表示制御部／表示制御工程」を限定したものといえる。
　そして、補正の前後において産業上の利用分野及び解決しようとする課題は同一である。
　本件補正は、特許請求の範囲の減縮に該当する。
　
（３）独立特許要件（第１７条の２第５項）
　本件補正は、特許請求の範囲の減縮を目的とするものである。そこで検討をする。
ア 補正後の本願発明
　本件補正後の請求項１に記載される発明（以下「本件補正発明」という）は、以下のとおりのものである。
「画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記指示部への指示に応じて、前記印刷対象の画像とともに、前記印刷対象の画像に対する印刷設定画面を表示させる表示制御部とを有し、
　前記表示制御部の制御により前記印刷設定画面を表示した後に、前記指示部へ再び指示することに応じて印刷を実行することを特徴とする再生制御装置。」
　
イ 刊行物
（ア）刊行物１の記載
　原査定の拒絶の理由に引用された上記刊行物１には、図面と共に以下の事項が記載されている。
ａ「本実施の形態の電子カメラ１は、図１から図３に示すように、・・・（中略）・・・符号化／復号化部５により符号化されたデータを記録して保存しておくものであって電子カメラ１に内蔵または着脱自在の例えばフラッシュメモリ等で構成される記録媒体６と、符号化／復号化部５により符号化されたデータを外部のプリンタ８に出力するプリンタインターフェイス９と、上記信号処理部４の出力を受けて画像を表示するための信号を出力するものであってコマ番号表示用のキャラクタ等を生成するキャラクタジェネレータを内蔵する表示制御部１０と、この表示制御部１０の出力に基づいて制御され画像やコマ番号等の表示を行う該電子カメラ１の背面側に配設された例えばＬＣＤ等でなるディスプレイ１１と、・・・（中略）・・・上述した各回路を含むこの電子カメラ１の統括的な制御を行う制御部１３と、この制御部１３に接続されている以下の各種の操作スイッチとを有して構成されている。」（段落【００２５】）
　
ｂ「一方、ディスプレイ１１は、・・・（中略）・・・再生した画像を印刷する際の印刷モード設定メニュー等を表示する表示手段としての役目をしている。」（段落【００２８】）
　
ｃ「つまり、上記ディスプレイ１１には、画像を再生表示し得ると共に、・・・（中略）・・・再生した画像を印刷する際の印刷モード設定メニュー等を表示する表示手段となっている。」（段落【００２９】）
　
ｄ「上記各種の操作スイッチは、・・・（中略）・・・ディスプレイ１１に印刷時のモード等を設定する印刷モード設定メニューを表示させるプリントスイッチ２３と、・・・（中略）・・・ディスプレイ１１に表示される主操作メニューまたは印刷モード設定メニュー内から選択した所望の指令項目を実行させるための実行指令を発する実行スイッチ２６と、・・・（中略）・・・を有して構成されている。」（段落【００３０】）
　
ｅ「指定されたコマ番号の画像から再生が開始されて、該コマ番号に対応する画像データが記録媒体６から読み出される。ここで例えば１コマ目から再生を行う場合には、１コマ目の画像データが読み出されて、符号化／復号化部５により復号化され、信号処理部４と表示制御部１０を介してディスプレイ１１に表示される。」（段落【００３９】）
　
ｆ「次に、画像の印刷について説明する。まず、プリントスイッチ２３を押しディスプレイ１１に印刷モード設定メニューを表示させる。例えば、図４に示すような表示により、
（１）画像データに対して規定された付加データを重畳して印刷するのか(Super-Impose ON)、付加データを重畳せずに印刷するのか(Super-Impose OFF)の選択
（２）再生モードで再生された画像をそのまま印刷するのか(Normal Image printing)、左右反転した画像を印刷するのか(Mirror Image printing)の選択
等を行い、印刷モード設定後に対応する画像データが記録媒体６から読み出され、符号化／復号化部５により復号化され、プリンタインターフェイス９及びケーブル接続コネクタ１４を介してデータ転送ケーブル１５によって、プリンタ８に出力され印刷される。」（段落【００４１】）
　
（イ）刊行物１に記載された発明
ａ 記録媒体６について
　ディスプレイ１１に表示される画像データは、記録媒体６から読み出されるものである（上記イ（ア）ｅ）ところ、その記録媒体６は、着脱自在の例えばフラッシュメモリ等で構成されるとある（上記イ（ア）ａ）。
　
ｂ 画像の再生について
　再生が開始されると、指定されたコマ番号の画像データが着脱自在のフラッシュメモリから読み出され、ディスプレイ１１に表示される（上記イ（ア）ｅ）。
　
ｃ プリントスイッチ２３について
　プリントスイッチ２３を押すと、印刷時のモード等を設定する印刷モード設定メニューがディスプレイ１１に表示される（上記イ（ア）ｄ）。ここで、「印刷モード設定メニュー」は、「再生した画像を印刷する際の印刷モード設定メニュー等を表示する表示手段」との記載（上記イ（ア）ｂ、ｃ）からして、再生した画像を印刷する際に表示されるものである。
　よって、プリントスイッチ２３を押すと表示されるのは、再生した画像を印刷する際のモード等を設定する印刷モード設定メニューであるといえる。
　
ｄ 印刷の実行について
　表示された印刷モード設定メニューにより印刷モードが設定された後、対応する画像データがプリンタ８に出力され印刷される（上記イ（ア）ｆ）。
　
ｅ まとめ
　上記（イ）ａ〜ｄに加え、上記（ア）ａ〜ｆの記載及び図１〜図５によれば、刊行物１に記載された発明(以下「刊行物１発明」という)として、以下のとおりのものを認定することができる。
「再生が開始されると、指定されたコマ番号の画像データが着脱自在のフラッシュメモリから読み出されてディスプレイ１１に表示され（上記イ（イ）ａ、ｂ）、
　プリントスイッチ２３を押すと、再生した画像を印刷する際のモード等を設定する印刷モード設定メニューがディスプレイ１１に表示され（上記イ（イ）ｃ）、
　表示された印刷モード設定メニューにより印刷モードが設定された後、対応する画像データがプリンタ８に出力され印刷される（上記イ（イ）ｄ）電子カメラ１（上記イ（ア）ａ）。」
　
ウ 対比
　本件補正発明と刊行物１発明を対比する。
　
（ア）「インターフェース」
　刊行物１発明では、指定されたコマ番号の画像データが着脱自在のフラッシュメモリから読み出されてディスプレイ１１に表示されるから、本件補正発明でいう「画像を記憶する記憶媒体を接続するインターフェース」の存在が認められることは明らかである。
　
（イ）「再生手段」
　刊行物１発明では、指定されたコマ番号の画像データが着脱自在のフラッシュメモリから読み出されてディスプレイ１１に表示されるから、本件補正発明でいう「前記インターフェースを介して、前記記憶媒体に記憶されている画像を読み出して、表示装置に表示させる再生手段」の存在が認められることは明らかである。
　
（ウ）「指示部」
　刊行物１発明では、プリントスイッチ２３を押すと、再生した画像を印刷する際のモード等を設定する印刷モード設定メニューがディスプレイ１１に表示される。この時、ディスプレイ１１に表示される「印刷モード設定メニュー」は「再生した画像を印刷する際」のものであるから、プリントスイッチ２３を押せば、再生した画像が印刷対象として指定されることになる。
　よって、刊行物１発明の「プリントスイッチ２３」は、本件補正発明でいう「前記表示装置に表示された画像を印刷対象として指示する指示部」に相当するといえる。
　
（エ）「表示制御部」
　刊行物１発明では、プリントスイッチ２３を押すと、印刷モード設定メニューがディスプレイ１１に表示されるから、印刷モード設定メニューを表示させる「表示制御手段」の存在が認められる。
　また、「印刷モード設定メニュー」が、本件補正発明でいう「印刷設定画面」に相当するものであることは明らかであるし、それが「印刷対象の画像に対する」ものであることは上記ウ（ウ）のとおりである。
　よって、刊行物１発明において存在が認められる上記「表示制御手段」は、「前記指示部への指示に応じて、前記印刷対象の画像に対する印刷設定画面を表示させる」ものといえる点で、本件補正発明でいう「表示制御部」とは相違しない。
　もっとも、刊行物１発明では、印刷設定画面を「印刷対象の画像とともに」表示させるとはしていない。相違が認められる。
　
（オ）「前記表示制御部・・・（中略）・・・印刷を実行する」
　刊行物１発明では、表示された印刷モード設定メニューにより印刷モードが設定された後、対応する画像データがプリンタ８に出力され印刷されるから、「前記表示制御部の制御により前記印刷設定画面を表示した後に、印刷を実行する」ものといえる点で、本件補正発明のものとは相違しない。
　もっとも、刊行物１発明では、印刷モードが設定された後、対応する画像データがプリンタ８に出力され印刷されるとしているから、印刷は、印刷モードが設定された後、何らかの指示に応じて実行されることが明らかであるものの、どのように指示するかは定かでない。この点、印刷を「前記指示部へ再び指示することに応じて」実行するとした本件補正発明とは相違が認められる。
　
（カ）「再生制御装置」
　刊行物１発明の「電子カメラ１」は、「再生手段」を備えている（上記ウ（イ））から、本件補正発明でいう「再生制御装置」に相当するといえる。
　
（キ）一致点、相違点
　以上から、本件補正発明と刊行物１発明とは、
［一致点］
「画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記指示部への指示に応じて、前記印刷対象の画像に対する印刷設定画面を表示させる表示制御部とを有し、
　前記表示制御部の制御により前記印刷設定画面を表示した後に、印刷を実行することを特徴とする再生制御装置。」
　である点で一致し、次の各点で相違する。
　
［相違点１］
　本件補正発明では、「表示制御部」が印刷設定画面を「前記印刷対象の画像とともに」表示させるとしているのに対し、刊行物１発明では、そのようにしていない点。
　
［相違点２］
　印刷を、本件補正発明では、「前記指示部へ再び指示することに応じて」実行するとしているのに対し、刊行物１発明では、どのように指示することに応じて実行するのか定かでない点。
　
エ 判断
　上記各相違点について検討する。
（ア）［相違点１］について
　一般に、印刷設定画面を印刷対象の画像とともに表示させるようにすることは周知である（例えば、特開平１１−３０８４３３号公報の段落【００３２】、段落【００３３】、図４等参照）から、「表示制御部」が印刷設定画面を「印刷対象の画像とともに」表示させるとすることは当業者が容易に想到し得たことである
　
（イ）［相違点２］について
　一般に、スイッチを複数の用途毎に設けるのではなく、１つのスイッチを複数の用途に兼用することでスイッチの増加を避けることは周知である（例えば、特開平１１−８８７４２号公報（原査定時に提示済み）の段落【００６５】等参照）。
　刊行物１には「ディスプレイ１１に表示される主操作メニューまたは印刷モード設定メニュー内から選択した所望の指令項目を実行させるための実行指令を発する実行スイッチ２６」（上記イ（ア）ｄ）とあるように、実行スイッチ２６を、主操作メニュー内から選択した指令項目の実行指令を発する用途と、印刷モード設定メニュー内から選択した指令項目の実行指令を発する用途で兼用するとしており、１つのスイッチを複数の用途に兼用するとした上記周知技術の採用が見られるところ、
　プリントスイッチ２３が、印刷モード設定メニューを表示させた後において何らか別の機能をするとの記載はないから、この点に着目してスイッチの増加を避けるべく上記周知技術を採用し、印刷モード設定メニューを表示させた後のプリントスイッチ２３に、印刷の実行を指示する機能を割り当てるようにし、かかる構成をもって、印刷を「前記指示部へ再び指示することに応じて」実行するとすることは当業者が容易に想到し得たことである。
　
オ 効果等
　以上のとおり、上記相違点１及び２に係る本件補正発明の構成は、いずれも当業者が容易に想到し得たものであるところ、上記各相違点を総合しても格別の作用効果を奏するものとはいえず、本件補正発明を全体としてみても、その作用効果は、上記刊行物１及び周知技術から当業者が予測できる範囲のものである。
　
カ まとめ（独立特許要件）
　以上によれば、本件補正発明は、上記刊行物１に記載された発明及び周知技術に基づいて当業者が容易に発明をすることができたものであるから、特許法第２９条第２項の規定により、特許出願の際独立して特許を受けることができない。
　したがって、本件補正は、特許法第１７条の２第５項において準用する同法第１２６条第５項の規定に適合しない。
　
（４）むすび
　以上のとおり、本件補正は、特許法第１７条の２第５項の規定に違反するものであるから、特許法第１５９条第１項の規定において読み替えて準用する同法第５３条第１項の規定により却下すべきものである。
　
　
第３ 本願発明
　平成１７年１０月３１日付けの手続補正は上記のとおり却下する。
　本願の請求項１に係る発明（以下「本願発明」という）は、平成１７年５月１６日付け手続補正書により補正された特許請求の範囲の請求項１に記載された事項により特定される、以下のとおりのものである。
「画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記指示部への指示に応じて、前記表示装置に印刷設定画面を表示させる表示制御部とを有し、
　前記表示制御部の制御により前記印刷設定画面を表示した後に、前記指示部へ再び指示することに応じて印刷を実行することを特徴とする再生制御装置。」
　
　
第４ 査定の検討
１ 刊行物
　原査定の拒絶の理由に引用された上記刊行物１には、上記第２ ２（３）イ（ア）に記載したとおりの記載がある。
　そして、刊行物１発明として、上記第２ ２（３）イ（イ）に記載したとおりのものを認定することができる。
　
２ 対比
　そこで、本願発明と刊行物１発明とを比較すると、本件補正発明と刊行物１発明との対応関係については、上記第２ ２（３）ウ に記載したとおりであるところ、これを援用する。
　
　本願発明と刊行物１発明とは、
［一致点］
「画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記指示部への指示に応じて、前記表示装置に印刷設定画面を表示させる表示制御部とを有し、
　前記表示制御部の制御により前記印刷設定画面を表示した後に、印刷を実行することを特徴とする再生制御装置。」
　である点で一致し、以下の点で相違する。
　
［相違点］
　印刷を、本願発明では、「前記指示部へ再び指示することに応じて」実行するとしているのに対し、刊行物１発明では、どのように指示することに応じて実行するのか定かでない点。
　
３ 判断
　上記相違点についての判断は、上記第２ ２（３）エ（イ）で本件補正発明に係る相違点についてした判断と同じである。
　
４ 効果等
　以上のとおり、上記相違点に係る本願発明の構成は当業者が容易に想到し得たものであるところ、その作用効果は、上記刊行物１及び周知技術から当業者が予測できる範囲のものである。
　
５ まとめ（査定の検討）
　したがって、本願発明は、上記刊行物１に記載された発明及び周知技術に基づいて当業者が容易に発明をすることができたものである。
　
　
第５ むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、本願は、残る請求項２ないし８に係る発明について検討するまでもなく、拒絶をすべきものである。
　よって、結論のとおり審決する。